(57)【要約】【課題】  フロントモニタ検出器に入射するレーザー光の光量を高精度に調整し、ボリューム抵抗を用いることなく、フロントモニタ検出器の出力値のばらつきを抑制することができる光ピックアップ装置および電子機器を提供する。【解決手段】  光ピックアップ装置１００は、半導体レーザー１から出射されフロントモニタ８に到達するレーザー光の光路上に、半導体レーザー１側から、偏光フィルタ１０ａ、回折格子９、ＢＳ板６および偏光フィルタ１０ｂの順序で配置される。このように、光ピックアップ装置１００は、フロントモニタ８の直前に設けられる偏光フィルタ１０ａに加えて、２つ目の偏光フィルタ１０ｂが設けられ、それぞれの偏光方向をレーザー光の光軸を中心として回転調整することよって、レーザー光の偏光ばらつきを抑えることができるので、フロントモニタ検出器の出力を精度よく調整することが可能となる。【選択図】      図１
2012128911.tif 000002
【特許請求の範囲】
【請求項１】
レーザー光を出射する発光素子と、
前記発光素子から出射されたレーザー光の一部を分離する分離部と、
前記分離部で分離された一部のレーザー光を除く残余のレーザー光を光学記録媒体の情報記録面上に集光する集光部と、
前記分離部で分離された一部のレーザー光を受光し、受光したレーザー光の光量を検出する検出器と、
前記発光素子から前記検出器へのレーザー光の光路上に設けられ、透過するレーザー光を予め定める偏光方向に偏光させる第１の偏光フィルタと、
前記発光素子から前記検出器へのレーザー光の光路上で、かつ前記第１の偏光フィルタと前記検出器との間に設けられ、透過するレーザー光を偏光させ、透過するレーザー光の偏光方向が、前記検出器で検出される光量が予め定める光量になるように、透過するレーザー光の光軸を中心として回転調整された第２の偏光フィルタとを含むことを特徴とする光ピックアップ装置。
【請求項２】
前記発光素子は、複数の発光素子から構成され、
前記第１の偏光フィルタは、発光素子ごとに１つずつ設けられることを特徴とする請求項１に記載の光ピックアップ装置。
【請求項３】
前記発光素子は、複数の発光素子から構成され、
前記第１の偏光フィルタは、前記複数の発光素子に対して１つ設けられることを特徴とする請求項１に記載の光ピックアップ装置。
【請求項４】
前記第１の偏光フィルタは、前記発光素子を保持する保持部に固定されることを特徴とする請求項１に記載の光ピックアップ装置。
【請求項５】
前記第１の偏光フィルタは、前記発光素子に含まれる発光部を内包する内包部に固定されることを特徴とする請求項１に記載の光ピックアップ装置。
【請求項６】
前記第２の偏光フィルタは、前記検出器の受光面に対向して、前記検出器に固定されることを特徴とする請求項１に記載の光ピックアップ装置。
【請求項７】
請求項１〜６のいずれか１つに記載の光ピックアップ装置を備えることを特徴とする電子機器。
【発明の詳細な説明】
【技術分野】
【０００１】
本発明は、光学記録媒体に対する記録、再生および消去を行うことが可能な光ピックアップ装置および電子機器に関する。
【背景技術】
【０００２】
光学記録媒体、たとえばＣＤ（Compact Disk）、ＤＶＤ（Digital Versatile Disk）およびＢＤ（Blu-ray Disc：登録商標）等の光ディスクに対して情報の記録または再生を行う光ピックアップ装置においては、半導体レーザーからのレーザー光を光ディスクの情報記録面上に照射し、その反射光を受光することによって、再生信号や制御信号が得られている。
【０００３】
半導体レーザーは、一般に、周囲温度等によって光出力が変化するため、光ピックアップ装置においては、自動出力制御（Automatic Power Control：略称「ＡＰＣ」）回路によって半導体レーザーの駆動電流が制御されて、半導体レーザーの光出力が一定に保たれる。検出精度が必要とされる記録形光ピックアップ装置においては、一般に、フロントモニタ方式が採用されている。
【０００４】
フロントモニタ方式が採用される構成の光ピックアップ装置においては、半導体レーザーの放射特性のばらつき、光学部品の透過率のばらつき、光学部品の取り付け位置のばらつき等によって、フロントモニタ検出器に入射するレーザー光の光量にもばらつきが生じるため、光ディスクへ照射されるレーザー光の光量に対するフロントモニタ検出器の出力値にもばらつきが発生する。
【０００５】
第１の従来技術として特許文献１に記載される光ピックアップがある。この光ピックアップは、出力検出器であるフォトダイオードのアノードに、一端が接地される可変抵抗が接続され、光ピックアップごとに、この可変抵抗が調整可能となっている。可変抵抗（以下「ボリューム抵抗」という）によって検出出力が調整可能となり、光ピックアップごとにばらつきがあっても、検出出力のばらつきをなくし、一定の検出出力を得ることができる。
【０００６】
第２の従来技術として特許文献２に記載される光ピックアップ装置がある。この光ピックアップ装置は、レーザー光を出射する半導体レーザーと、出射された光の一部を受光し、受光したレーザー光の光量を監視するフロントモニタ検出器との間に、レーザー光の光軸に対して垂直に偏光フィルタが配置されている。この偏光フィルタは、レーザー光の光軸に対して垂直な面内でその光軸を中心として回転させることができ、偏光フィルタの偏光軸の方向によって、フロントモニタ検出器に入射するレーザー光の光量を調整する。
【０００７】
第３の従来技術として特許文献３に記載される光ピックアップ装置がある。この光ピックアップ装置は、第２の従来技術と同様に、偏光ビームスプリッタとフロントモニタとの間に偏光フィルタを備えている。この偏光フィルタは、入射するレーザー光の光軸に垂直な平面に対して傾斜して取り付けられる。
【０００８】
第４の従来技術として特許文献４に記載される光ピックアップがある。この光ピックアップは、レーザー光源から出射したレーザービームの一部を取り出す光取出部と、光取出部によって取り出されたレーザービームの光強度を検出する光検出部との間に、偏光フィルタを備えている。
【先行技術文献】
【特許文献】
【０００９】
【特許文献１】特開平３−１４７５３４号公報
【特許文献２】特開２００７−２１３６４９号公報
【特許文献３】特開２００９−２１１７８９号公報
【特許文献４】特開平８−２８７５０５号公報
【発明の概要】
【発明が解決しようとする課題】
【００１０】
第１の従来技術は、ボリューム抵抗を用いて調整するので、調整範囲が制限されるため、光ピックアップ装置の量産時に、ボリューム抵抗によって調整可能な範囲を超えるようなばらつきが発生することがあり、これが歩留まりを低下させる要因となる。また、ボリューム抵抗の周波数特性が光ピックアップ装置の周波数応答性を悪化させる要因となり得る。
【００１１】
第２の従来技術および第３の従来技術は、偏光フィルタを１つ使用し、その偏光フィルタをフロントモニタ検出器の前だけに配置するものであるため、半導体レーザーが２個以上設けられる場合は、半導体レーザーごとに調整することはできない。また、レーザー光の偏光方向のばらつきの影響を受けることになる。
【００１２】
第４の従来技術も、偏光フィルタを１つ使用するものであるが、光取出部で取り出されたレーザービームに混在する自然発光成分を取り除くためのものであり、光量を調整するためのものではない。
【００１３】
本発明の目的は、フロントモニタ検出器に入射するレーザー光の光量を高精度に調整し、ボリューム抵抗を用いることなく、フロントモニタ検出器の出力値のばらつきを抑制することができる光ピックアップ装置および電子機器を提供することである。
【課題を解決するための手段】
【００１４】
本発明は、レーザー光を出射する発光素子と、
前記発光素子から出射されたレーザー光の一部を分離する分離部と、
前記分離部で分離された一部のレーザー光を除く残余のレーザー光を光学記録媒体の情報記録面上に集光する集光部と、
前記分離部で分離された一部のレーザー光を受光し、受光したレーザー光の光量を検出する検出器と、
前記発光素子から前記検出器へのレーザー光の光路上に設けられ、透過するレーザー光を予め定める偏光方向に偏光させる第１の偏光フィルタと、
前記発光素子から前記検出器へのレーザー光の光路上で、かつ前記第１の偏光フィルタと前記検出器との間に設けられ、透過するレーザー光を偏光させ、透過するレーザー光の偏光方向が、前記検出器で検出される光量が予め定める光量になるように、透過するレーザー光の光軸を中心として回転調整された第２の偏光フィルタとを含むことを特徴とする光ピックアップ装置である。
【００１５】
また本発明は、前記発光素子は、複数の発光素子から構成され、
前記第１の偏光フィルタは、発光素子ごとに１つずつ設けられることを特徴とする。
【００１６】
また本発明は、前記発光素子は、複数の発光素子から構成され、
前記第１の偏光フィルタは、前記複数の発光素子に対して１つ設けられることを特徴とする。
【００１７】
また本発明は、前記第１の偏光フィルタは、前記発光素子を保持する保持部に固定されることを特徴とする。
【００１８】
また本発明は、前記第１の偏光フィルタは、前記発光素子に含まれる発光部を内包する内包部に固定されることを特徴とする。
【００１９】
また本発明は、前記第２の偏光フィルタは、前記検出器の受光面に対向して、前記検出器に固定されることを特徴とする。
また本発明は、前記光ピックアップ装置を備えることを特徴とする電子機器である。
【発明の効果】
【００２０】
本発明によれば、発光素子は、レーザー光を出射する。分離部は、前記発光素子から出射されたレーザー光の一部を分離する。集光部は、前記分離部で分離された一部のレーザー光を光学記録媒体の情報記録面上に集光する。検出器は、前記分離部で分離された一部のレーザー光を受光し、受光したレーザー光の光量を検出する。第１の偏光フィルタは、前記発光素子から前記検出器へのレーザー光の光路上に設けられ、透過するレーザー光を予め定める偏光方向に偏光させる。そして第２の偏光フィルタは、前記発光素子から前記検出器へのレーザー光の光路上で、かつ前記第１の偏光フィルタと前記検出器との間に設けられ、透過するレーザー光を偏光させ、透過するレーザー光の偏光方向が、前記検出器で検出される光量が予め定める光量になるように、透過するレーザー光の光軸を中心として回転調整されている。したがって、２つの偏光フィルタのそれぞれの偏光方向を回転調整することによって、検出器に入射するレーザー光の光量を高精度に調整し、ボリューム抵抗を用いることなく、検出器の出力値のばらつきを抑制することができる。また、第１の偏光フィルタが設置されているので、戻り光や温度変化の影響などの変化によって発光素子の偏光比が安定しない場合でも、偏光方向を一定にすることができ、安定した高精度なモニタ性能が得られる。
【００２１】
また本発明によれば、前記発光素子は、複数の発光素子から構成される。そして、前記第１の偏光フィルタは、発光素子ごとに１つずつ設けられる。すなわち、検出器の直前に第２の偏光フィルタを設け、各発光素子と第２の偏光フィルタとの間のそれぞれの光路上に第１の偏光フィルタをそれぞれ設ける。したがって、複数の発光素子に含まれるレーザーダイオード、たとえば、ＣＤ用のレーザーダイオード、ＤＶＤ用のレーザーダイオード、およびＢＤ用のレーザーダイオードなどの２つ以上のレーザーダイオードが搭載され、かつ検出器が１つである場合においても、レーザーダイオードごとに調整が可能となる。
【００２２】
また本発明によれば、前記発光素子は、複数の発光素子から構成される。そして、前記第１の偏光フィルタは、前記複数の発光素子に対して１つ設けられる。すなわち、検出器の直前に第２の偏光フィルタを設け、各発光素子と第２の偏光フィルタとの間の共通の光路上に第１の偏光フィルタを１つ設ける。したがって、複数の発光素子に含まれるレーザーダイオード、たとえば、ＣＤ用のレーザーダイオード、ＤＶＤ用のレーザーダイオード、およびＢＤ用のレーザーダイオードなどの２つ以上のレーザーダイオードが搭載され、かつ検出器が１つである場合においても、調整が可能となる。
【００２３】
また本発明によれば、前記第１の偏光フィルタは、前記発光素子を保持する保持部に固定される。したがって、第１の偏光フィルタによって受光素子の発光部を保持部内に密封することができ、オープンパッケージのレーザーダイオードを採用した際に、レーザーダイオードの発光面の汚れを防止することができる。また、第１の偏光フィルタを支持するための支持機構を不要とすることができる。
【００２４】
また本発明によれば、前記第１の偏光フィルタは、前記発光素子に含まれる発光部を内包する内包部に固定される。したがって、気密が必要なレーザーダイオードのキャップ機能と複合可能となり、部品点数を削減することができる。また、第１の偏光フィルタを支持する支持機構を不要とすることができる。
【００２５】
また本発明によれば、前記第２の偏光フィルタは、前記検出器の受光面に対向して、前記検出器に固定される。したがって、第２の偏光フィルタを支持する支持機構を不要とすることができる。
【００２６】
また本発明によれば、前記光ピックアップ装置を備える。したがって、フロントモニタ検出器の出力値のばらつきを抑制することができ、光学記録媒体への記録再生の信頼度を向上することができる。
【図面の簡単な説明】
【００２７】
【図１】本発明の第1実施形態である光ピックアップ装置１００の概略の構成を示す図である。
【図２】本発明の第２実施形態である光ピックアップ装置１０１の概略の構成を示す図である。
【図３】本発明の第３実施形態である光ピックアップ装置１０２の概略の構成を示す図である。
【図４】本発明の第４実施形態である光ピックアップ装置１０３の概略の構成を示す図である。
【図５】半導体レーザー１が組み込まれたホルダ１６の外観の一例を示す図である。
【図６】偏光フィルタ１０ａ１が取り付けられた半導体レーザー１ｆの外観の一例を示す図である。
【発明を実施するための形態】
【００２８】
図１は、本発明の第１実施形態である光ピックアップ装置１００の概略の構成を示す図である。光ピックアップ装置１００は、フロントモニタ方式の光ピックアップ装置であり、２つの偏光フィルタを回転調整することによって、フロントモニタに入射する光量の調整が可能である。この調整は、製品の出荷前、および出荷後の保守点検時などに作業者によって実施される。回転調整とは、レーザー光の光軸を中心として回転させて調整することである。
【００２９】
光ピックアップ装置１００は、半導体レーザー１、対物レンズ３、立上げミラー４、コリメートレンズ５、ビームスプリッタ（以下「ＢＳ」という）板６、受光素子（以下「ＰＤ」という）７、フロントモニタ８、回折格子９、偏光フィルタ１０ａ，１０ｂおよび自動出力制御（Automatic Power Control：略称「ＡＰＣ」）回路２０を含んで構成される。
【００３０】
さらに、光ピックアップ装置１００は、図示しないハウジングを含む。ハウジングは、光ピックアップ装置１００の匡体である。半導体レーザー１、対物レンズ３、立上げミラー４、コリメートレンズ５、ＢＳ板６、受光素子ＰＤ７、フロントモニタ８、回折格子９、偏光フィルタ１０ａ，１０ｂおよびＡＰＣ回路２０は、ハウジングに収納され、ハウジングによって保持される。対物レンズ３、立上げミラー４およびコリメートレンズ５は、集光部である。
【００３１】
発光素子である半導体レーザー１は、レーザーダイオードを内部に搭載する。レーザーダイオードは、レーザー光を発光する発光部であり、レーザー光を出射する。回折格子９は、半導体レーザー１から出射されるレーザー光を回折し、０次回折光である主ビームと、±１次回折光である２つの副ビームとに分離する。主ビームは、情報の記録再生のために用いられ、２つの副ビームは、トラッキングエラー信号生成のために用いられる。
【００３２】
分離部であるＢＳ板６は、回折格子９によって回折されたレーザー光の一部を分離する。具体的には、回折格子９によって回折されたレーザー光の一部を反射することなく透過して、フロントモニタ８の方向に出射し、かつその一部を除く残余のレーザー光の進行方向を９０度変えてコリメートレンズ５の方向に反射する。コリメートレンズ５は、ＢＳ板６からのレーザー光を平行光にし、かつ立上げミラー４からの平行光をＰＤ７の受光面に集光して集光スポットを形成する。
【００３３】
立上げミラー４は、コリメートレンズ５からのレーザー光を対物レンズ３の方向に反射し、対物レンズ３からのレーザー光をコリメートレンズ５の方向に反射する。対物レンズ３は、立上げミラー４からの平行光を、光学記録媒体、たとえば光ディスク２の記録層に集光して記録層に集光スポットを形成し、かつ光ディスク２で反射されてくる反射光を平行光にして、立上げミラー４の方向に出射する。
【００３４】
ＰＤ７は、コリメートレンズ５で集光され、ＢＳ板６を透過してくる光ディスク２からの反射光を受光し、反射光に含まれる光信号を電気信号に変換する。検出器であるフロントモニタ８は、ＢＳ板６を透過してくるレーザー光を受光し、受光したレーザー光の光信号を電気信号に変換するフロントモニタ検出器である。ＡＰＣ回路２０は、フロントモニタ８からの電気信号に基づいて、半導体レーザー１の駆動電流を制御して、半導体レーザー１１の光出力を一定に保つ。
【００３５】
偏光フィルタ１０ａおよび偏光フィルタ１０ｂは、ある特定の方向の電気ベクトル成分のレーザー光のみを透過させる特性を有する光学素子である。第１の偏光フィルタである偏光フィルタ１０ａは、半導体レーザー１と回折格子９との間であって、半導体レーザー１から出射されるレーザー光の光路上に、半導体レーザー１から出射されるレーザー光の光軸に対して垂直に配置される。第２の偏光フィルタである偏光フィルタ１０ｂは、ＢＳ板６とフロントモニタ８との間であって、ＢＳ板６を透過してくるレーザー光の光路上に、ＢＳ板６を透過してくるレーザー光の光軸に対して垂直に配置される。すなわち、半導体レーザー１から出射されフロントモニタ８に到達するレーザー光の光路上に、半導体レーザー１側から、偏光フィルタ１０ａ、回折格子９、ＢＳ板６および偏光フィルタ１０ｂが、この順序で配置される。
【００３６】
したがって、半導体レーザー１から出射されたレーザー光は、偏光フィルタ１０ａで偏光され、回折格子９で回折され、回折されたレーザー光の一部は、ＢＳ板６を透過し、偏光フィルタ１０ｂで偏光されて、フロントモニタ８で受光される。回折格子９で回折されたレーザー光の大部分、つまり前記一部を除く残余のレーザー光は、ＢＳ板６で反射され、コリメートレンズ５の方向に進み、光ディスク２に対する記録再生のために用いられる。
【００３７】
以下、個々に設けられる偏光フィルタ、たとえば偏光フィルタ１０ａおよび偏光フィルタ１０ｂなどを、総称して偏光フィルタ１０という。偏光フィルタ１０は、フロントモニタ８に入射するレーザー光の光軸に対して垂直な面内に１つの方向の偏光軸を有する。偏光軸とは、透過するレーザー光の光軸に対する垂直な方向のうち、一定方向に振動する光を透過させる方向を示す軸である。偏光フィルタ１０は、たとえば、内部での光吸収が小さく、かつ、均一性に優れた一軸性光学結晶である水晶、または偏光フィルムなどを用いて作成される。偏光フィルムは、透過するレーザー光の光軸に対して垂直な方向のうち、一定方向に振動する光だけを透過させるフィルムである。
【００３８】
偏光フィルタ１０に入射するレーザー光が直線偏光の場合に、偏光フィルタ１０の偏光軸と偏光フィルタ１０に入射するレーザー光の電気ベクトルとのなす角度をθとすると、偏光フィルタ１０を透過するレーザー光は、角度θが小さいほど、透過するレーザー光の電気ベクトル成分の大きさは大きくなり、角度θが大きいほど、透過するレーザー光の電気ベクトル成分の大きさは小さくなる。このことは、角度θが小さいほど、偏光フィルタ１０を透過するレーザー光の強度が大きくなり、角度θが大きいほど、偏光フィルタ１０を透過するレーザー光の強度が小さくなることを意味している。
【００３９】
このように、光ピックアップ装置１００は、フロントモニタ８の直前に設けられる偏光フィルタ１０ａに加えて、２つ目の偏光フィルタ１０ｂが設けられ、それぞれの偏光方向をレーザー光の光軸を中心として回転調整することよって、レーザー光の偏光ばらつきを抑えることができるので、フロントモニタ８の出力を精度よく調整することが可能となる。
【００４０】
偏光フィルタ１０ａおよび偏光フィルタ１０ｂは、作業者によって、以下に示す手順で回転調整される。作業者は、まずハウジングに対して、ＢＳ板６を配置し、次に半導体レーザー１とフロントモニタ８とを配置する。
【００４１】
半導体レーザー１を構成するレーザーダイオード（以下「ＬＤ」という）は、構造上、出射光の広がりが、出射光の進行方向に直交する仮想平面内で互いに直交する２つの方向（以下「垂直方向」および「水平方向」という）で偏りがある。したがって、ＬＤの回転角度によって、光ディスク２への記録再生の信頼度が左右される。ＬＤの回転角度とは、ＬＤに設けられる基準位置を、ＬＤから出射されるレーザー光の光軸を中心として回転させた角度である。ＬＤの回転角度は、ＢＳ板６での偏光を考慮して、光学設計によって決定される。半導体レーザー１は、通常後述するレーザーパッケージに収容されている場合、作業者は、決定された回転角度になるように、レーザーパッケージをハウジングに固定する。固定は、たとえば接着剤を用いて行われる。
【００４２】
作業者は、次に、偏光フィルタ１０ａを、半導体レーザー１とＢＳ板６との間に配置し、偏光フィルタ１０ａの粗調整を行った後、粗調整された回転角度で、偏光フィルタ１０ａをハウジングに固定する。その後、ＢＳ板６とフロントモニタ８との間に偏光フィルタ１０ｂを配置し、偏光フィルタ１０ｂの微調整を行った後、微調整された回転角度で、偏光フィルタ１０ｂをハウジングに固定する。
【００４３】
粗調整は、作業者が、フロントモニタ８の出力を観測しながら、偏光フィルタ１０ａを透過するレーザー光の光軸を中心として、偏光フィルタ１０ａを回転させ、フロントモニタ８の出力がフロントモニタ８の受光感度を基準とする制御範囲内に入るように、偏光フィルタ１０ａの回転角度を調整することである。予め定める偏光方向は、フロントモニタ８の出力が許容範囲内となる、偏光フィルタ１０ａの偏光方向である。
【００４４】
また、微調整は、作業者が、フロントモニタ８の出力を観測しながら、偏光フィルタ１０ｂを透過するレーザー光の光軸を中心として、偏光フィルタ１０ｂを回転させ、フロントモニタ８の出力が所定の値になるように、偏光フィルタ１０ｂの回転角度を調整することである。所定の値としては、予め定める光量を表す値が用いられる。
【００４５】
ＢＳ板６を用いる偏光光学系の場合、ＢＳ板６の偏光方向によって反射するレーザー光の光量および透過するレーザー光の光量が決まるので、偏光比の異なるレーザー光がＢＳ板６から出射されることになる。偏光比の異なるレーザー光が出射されると、フロントモニタ８に入射する光量と光ディスク２に向かう光量との光量比が変化する。しかし、ＢＳ板６の前段に偏光フィルタ１０ａを設けて回転調整することによって、偏光方向を一定にすることができるので、フロントモニタ８での安定した、かつ高精度なモニタ性能を得ることができる。
【００４６】
すなわち、レーザー光を偏光するＢＳ板６を用いる光学系において、ＢＳ板６の前段の偏光フィルタ１０ａによって偏光方向が異なる光を除外することで、ＢＳ板６での光分岐の光量比の変動要因を抑え、さらに、ＢＳ板６の後段の偏光フィルタ１０ｂによって、フロントモニタ８に入射する光量を個々の光ピックアップ装置１００で調整することで、トータルとして安定した高精度なモニタ制御を行うことができる。
【００４７】
このように、偏光フィルタ１０ａおよび偏光フィルタ１０ｂを回転調整することによって、半導体レーザー１の放射特性のばらつき、回折格子９やＢＳ板６などの光学部品の透過率のばらつき、各光学部品の取り付け位置のばらつき等によって、フロントモニタ８に入射するレーザー光の光量にばらつきが生じる場合であっても、フロントモニタ８の出力値のばらつきを低減ことができる。したがって、光ディスク２に照射されるレーザー光の光量のばらつきを低減し、フロントモニタ８の出力値を所定の値に維持することができる。
【００４８】
図１に示した第１実施形態では、偏光フィルタ１０ａを半導体レーザー１と回折格子９との間の光路上に設けたが、回折格子９とＢＳ板６との間の光路上に設けることも可能である。どちらの位置に設けるかは、光学設計上の課題、たとえばスペースの確保や回転調整のし易さなどの課題に応じて決定すればよい。偏光フィルタをどちらの位置に設けても、ばらつきを低減するという効果において差はない。
【００４９】
半導体レーザー１１は、所定の波長のレーザー光を出射するものであるが、光ディスク２への記録再生に、複数種類の波長のレーザー光が必要である場合は、波長の異なるレーザー光を出射する２以上のレーザーチップを収容するパッケージ、いわゆる多波長１パッケージの半導体レーザーを、半導体レーザー１の代わりに用いてもよい。
【００５０】
図２は、本発明の第２実施形態である光ピックアップ装置１０１の概略の構成を示す図である。光ピックアップ装置１０１は、２つの半導体レーザーを有する光ピックアップ装置である。光ピックアップ装置１０１は、図１に示した光ピックアップ装置１００の構成要素に、半導体レーザー１１、偏光フィルタ１０ｃ、回折格子９ｃおよびダイクロイックプリズム（以下「ダイクロプリズム」という）１２を加えた構成である。図１に示した光ピックアップ装置１００の構成要素と同じ構成要素には、同じ参照符を付して、重複を避けるために説明は省略する。半導体レーザー１１、偏光フィルタ１０ｃ、回折格子９ｃおよびダイクロプリズム１２も、ハウジングに収納され、ハウジングによって保持される。
【００５１】
発光素子である半導体レーザー１１は、半導体レーザー１が出射するレーザー光の波長とは異なる波長のレーザー光を出射する。ダイクロプリズム１２は、波長選択特性を有するプリズムであり、半導体レーザー１から出射されたレーザー光を通過させ、半導体レーザー１１から出射されたレーザー光を反射する。ダイクロプリズム１２は、回折格子９とＢＳ板６との間であって、半導体レーザー１から出射されるレーザー光の光路上に設けられる。
【００５２】
回折格子９ｃは、回折格子９と同じ機能を有し、半導体レーザー１１から出射されたレーザー光を回折する。回折格子９ｃは、半導体レーザー１１とダイクロプリズム１２との間であって、半導体レーザー１１から出射されるレーザー光の光路上に設けられる。偏光フィルタ１０ｃは、半導体レーザー１１から出射されるレーザー光を偏光させる。第１の偏光フィルタである偏光フィルタ１０ｃは、半導体レーザー１１と回折格子９ｃとの間であって、半導体レーザー１１から出射されるレーザー光の光路上に、半導体レーザー１１から出射されるレーザー光の光軸に垂直に配置される。
【００５３】
したがって、半導体レーザー１１から出射されたレーザー光は、偏光フィルタ１０ｃで偏光され、回折格子９ｃで回折され、ダイクロプリズム１２で反射されて、進行方向を９０度変える。ダイクロプリズム１２で反射されたレーザー光の一部は、ＢＳ板６を透過し、偏光フィルタ１０ｂで偏光されて、フロントモニタ８で受光される。ダイクロプリズム１２で反射されたレーザー光の大部分、つまり前記一部を除く残余のレーザー光は、ＢＳ板６で反射され、コリメートレンズ５の方向に進み、光ディスク２に対する記録再生のために用いられる。
【００５４】
半導体レーザー１，１１は、それぞれ光学設計で決定された回転角度でハウジングに固定される。また、半導体レーザー１，１１を構成する各ＬＤから出射されたレーザー光の広がりは垂直方向と水平方向とで偏りがある。したがって、半導体レーザー１，１１を構成する各ＬＤから出射されたレーザー光は、それぞれのＬＤの回転角度に応じて、偏りの方向が変化している。しかしながら、光ピックアップ装置１０１は、偏光フィルタ１０ａ，１０ｃをそれぞれの半導体レーザー１，１１に設けているので、それぞれの半導体レーザー１，１１について、フロントモニタ８で受光されるレーザー光の光量が所定の値になるように調整することができる。
【００５５】
各半導体レーザー１，１１の直後に設けられる偏光フィルタ１０ａ，１０ｃの回転調整は、それぞれ個別に行われた後、フロントモニタ８の直前の偏光フィルタ１０ｂの回転調整が行われる。半導体レーザー１，１１の各波長に対するフロントモニタ８の受光感度や半導体レーザー１，１１の各ＬＤの偏光方向などは、事前に光学設計で、許容範囲を考慮して決定される。したがって、各半導体レーザー１，１１の直後に設けられる偏光フィルタ１０ａ，１０ｃの回転調整のときに、フロントモニタ８の出力が許容範囲内に入るように調整されるので、各ＬＤの偏光方向が異なっていても、フロントモニタ８の直前にある１つの共通の偏光フィルタ１０ｂの回転調整だけで、フロントモニタ８で受光する光量を、同じ所定の値にすることができる。
【００５６】
図２に示した第２実施形態では、偏光フィルタ１０ａを、半導体レーザー１と回折格子９との間に設け、偏光フィルタ１０ｃを、半導体レーザー１１と回折格子９ｃとの間に設けたが、偏光フィルタ１０ａを、回折格子９とダイクロプリズム１２との間に設け、偏光フィルタ１０ｃを、回折格子９ｃとダイクロプリズム１２との間に設けることも可能である。どちらの位置に設けるかは、光学設計上の課題、たとえばスペースの確保や回転調整のし易さなどの課題に応じて決定すればよい。偏光フィルタをどちらの位置に設けても、ばらつきを低減するという効果において差はない。
【００５７】
図３は、本発明の第３実施形態である光ピックアップ装置１０２の概略の構成を示す図である。光ピックアップ装置１０２は、３つの半導体レーザーを有し、２種類の光ディスク２ａ，２ｂに対する記録再生を可能とした光ピックアップ装置である。
【００５８】
光ピックアップ装置１０２は、半導体レーザー１，１１，１３、対物レンズ３ａ，３ｂ、立上げミラー４ａ，４ｂ、コリメートレンズ５、ＢＳ板６、受光素子ＰＤ７、フロントモニタ８、回折格子９，９ｃ，９ｄ、偏光フィルタ１０ａ〜１０ｄ、ＡＰＣ回路２０および図示しないハウジングを含んで構成される。半導体レーザー１，１１，１３、対物レンズ３ａ，３ｂ、立上げミラー４ａ，４ｂ、コリメートレンズ５、ＢＳ板６、受光素子ＰＤ７、フロントモニタ８、回折格子９，９ｃ，９ｄ、偏光フィルタ１０ａ〜１０ｄおよびＡＰＣ回路２０は、ハウジングに収納され、ハウジングによって保持される。対物レンズ３ａ，３ｂ、立上げミラー４ａ，４ｂおよびコリメートレンズ５は、集光部である。
【００５９】
半導体レーザー１，１１、回折格子９，９ｃ、偏光フィルタ１０ａ，１０ｃおよびダイクロプリズム１２は、図２に示した光ピックアップ装置１０１の同じ参照符の構成要素と同じであり、重複を避けるために説明は省略する。発光素子である半導体レーザー１３は、半導体レーザー１，１１が出射するいずれのレーザー光の波長とも異なる波長のレーザー光を出射する。半導体レーザー１３から出射されたレーザー光の光路上に、偏光フィルタ１０ｄ、回折格子９ｄおよびダイクロプリズム１４がこの順序で配置される。偏光フィルタ１０ｄは、半導体レーザー１３から出射されるレーザー光の光路上に、半導体レーザー１３から出射されるレーザー光の光軸に垂直に配置される。
【００６０】
図３に示した実施形態では、偏光フィルタ１０ｄとダイクロプリズム１４との間に回折格子９ｄを設けたが、回折格子９ｄは、光学設計によっては、たとえば１ビームあるいは３ビームなどのトラッキングサーボ方式によっては、省略することも可能である。特に、レーザー光を回折によって分割せずに、１ビームのままで制御する制御方式の場合は、回折格子９ｄを用いなくてもよい。
【００６１】
第１の偏光フィルタである偏光フィルタ１０ｄは、半導体レーザー１３から出射されるレーザー光を偏光させる。回折格子９ｄは、回折格子９と同じ機能を有し、偏光フィルタ１０ｄで偏光されたレーザー光を回折する。ダイクロプリズム１４は、回折格子９ｄで回折されたレーザー光の進行方向を９０度変化させ、ＢＳ板６の方向に反射し、また、光ディスク２ａ，２ｂで反射され、ＢＳ板６を透過してくるレーザー光を透過する。
【００６２】
ＢＳ板６は、ダイクロプリズム１２からのレーザー光を反射し、コリメートレンズ５の方向に出射し、また、ダイクロプリズム１４からのレーザー光を透過し、また、コリメートレンズ５からのレーザー光を透過する。コリメートレンズ５は、ＢＳ板６からのレーザー光を平行光にし、かつ立上げミラー４ａ，４ｂからの平行光をＰＤ７の受光面に集光して集光スポットを形成する。
【００６３】
立上げミラー４ａは、コリメートレンズ５からのレーザー光のうち、半導体レーザー１，１１からのレーザー光の一部および半導体レーザー１３からのレーザー光を透過し、半導体レーザー１，１１からのレーザー光の一部を除く残余のレーザー光を対物レンズ３ａの方向に反射し、また、対物レンズ３ａからのレーザー光をコリメートレンズ５の方向に反射する。
【００６４】
立上げミラー４ｂは、立上げミラー４ａを透過してきた半導体レーザー１，１１からの前記一部のレーザー光、および立上げミラー４ａを透過してきた半導体レーザー１３からのレーザー光の一部を透過し、立上げミラー４ａを透過してきた半導体レーザー１３のうち、立上げミラー４ａを透過してきた半導体レーザー１３からのレーザー光の一部を除く残余のレーザー光を対物レンズ３ｂの方向に反射し、また、対物レンズ３ｂからのレーザー光をコリメートレンズ５の方向に反射する。
【００６５】
対物レンズ３ａは、立上げミラー４ａからの平行光を、光学記録媒体、たとえば光ディスク２ａの記録層に集光して記録層に集光スポットを形成し、かつ光ディスク２ａで反射されてくる反射光を平行光にする。対物レンズ３ｂは、立上げミラー４ｂからの平行光を、光学記録媒体、たとえば光ディスク２ｂの記録層に集光して記録層に集光スポットを形成し、かつ光ディスク２ｂで反射されてくる反射光を平行光にする。フロントモニタ８、偏光フィルタ１０ｂおよびＡＰＣ回路２０は、図２に示した光ピックアップ装置１０１の同じ参照符の構成要素と同じであり、重複を避けるために説明は省略する。
【００６６】
半導体レーザー１，１１，１３を構成する各ＬＤから出射されるレーザー光は、それぞれのＬＤの回転角度に応じて、偏りの方向が変化している。しかしながら、光ピックアップ装置１０２は、偏光フィルタ１０ａ，１０ｃ，１０ｄをそれぞれの半導体レーザー１，１１，１３に設けているので、それぞれの半導体レーザー１，１１，１３について、フロントモニタ８で受光されるレーザー光の光量が所定の値になるように調整することができる。
【００６７】
図３に示した第３実施形態では、波長が相互に異なる３つのレーザー光を用いるものであるが、図２に示した第２実施形態での半導体レーザー１，１１のうちのいずれかを、２波長１パッケージレーザーに置き換えることによって、図２に示した構成で波長が相互に異なる３つのレーザー光を用いることができる。
【００６８】
図４は、本発明の第４実施形態である光ピックアップ装置１０３の概略の構成を示す図である。光ピックアップ装置１０３は、２つの半導体レーザーを有する光ピックアップ装置である。光ピックアップ装置１０３は、図２に示した光ピックアップ装置１０１の構成要素のうち、偏光フィルタ１０ａ，１０ｃに代えて偏光フィルタ１０ｅを設けた構成である。図２に示した光ピックアップ装置１０１の構成要素と同じ構成要素には、同じ参照符を付して、重複を避けるために説明は省略する。偏光フィルタ１０ｅも、ハウジングに収納され、ハウジングによって保持される。
【００６９】
図２に示した光ピックアップ装置１０１も２つの半導体レーザー１，１１を有する光ピックアップ装置であるが、図２に示した光ピックアップ装置１０１は、半導体レーザー１用に偏光フィルタ１０ａを設け、半導体レーザー１１用に偏光フィルタ１０ｂを設けた構成である。これに対し、光ピックアップ装置１０３は、半導体レーザー１，１１に共通に１つの偏光フィルタ１０ｅを設ける構成である。第１の偏光フィルタである偏光フィルタ１０ｅは、ダイクロプリズム１２とＢＳ板６との間であって、ダイクロプリズム１２からのレーザー光の光路上に、ダイクロプリズム１２からのレーザー光の光軸に垂直に配置される。
【００７０】
このように、半導体レーザー１から出射されたレーザー光と、半導体レーザー１１から出射されたレーザー光とが共通に通過する光路上、たとえばダイクロプリズム１２からＢＳ板６への間の光路上に、偏光フィルタ１０ｅを設けることによって、偏光フィルタ１０の数を低減することができ、半導体レーザー１，１１の配置の自由度を上げることができる。
【００７１】
第４実施形態の場合、半導体レーザー１，１１のうちの１つの半導体レーザーについて、図１に示した第１実施形態での手順で調整を行った後、フロントモニタ８での受光量が所定の値になるように、他の半導体レーザーを回転調整する。
【００７２】
図５は、半導体レーザー１が組み込まれたホルダ１６の外観の一例を示す図である。図５（ａ）は、ホルダ１６を正面から見た外観である。図５（ｂ）は、ホルダ１６を背面から見た外観である。図５に示した半導体レーザー１は、レーザーダイオードを内包するレーザーパッケージ品である。
【００７３】
保持部であるホルダ１６は、半導体レーザー１を嵌め込んで固定する部材であり、半導体レーザー１の取り付け位置、回転角度、および傾きなどの調整をより確実に行うための補助部品である。半導体レーザー１は、ホルダ１６の背面側に配置され固定されている。半導体レーザー１は、背面側に３本のリード１７が形成されている。リード１７は、ＬＤを電気的に接続するための突起部である。
【００７４】
偏光フィルタ１０ａは、半導体レーザー１に対して回転調整された後、ホルダ１６の正面側に固定される。固定は、たとえば接着剤によって接着固定される。半導体レーザー１から出射されたレーザー光は、ホルダ１６の背面側から偏光フィルタ１０ａを透過して、ホルダ１６の正面側に出射される。
【００７５】
ホルダ１６を用いないで、レーザーパッケージを、ハウジングに対して位置調整して、直接ハウジングに取り付ける場合、レーザーパッケージの取付け位置、回転角度、および傾きなどの調整をするためには、レーザーパッケージを空間的に浮いた状態で調整して、接着固定するなどの方法しかなく、固定強度や調整精度に限界がある。しかし、ホルダ１６を用いる場合、ホルダ１６の面のうちいずれかの面を、ハウジングに対して調整する基準面とすることによって、固定強度や調整精度を向上させることができる。
【００７６】
また、偏光フィルタ１０ａによって、ホルダ１６に嵌め込まれた半導体レーザー１を保護することができる。特に、半導体レーザー１が、ＬＤを密封しないオープンパッケージの場合、ＬＤを保護することができる。
【００７７】
１つのホルダ１６は、通常１つのレーザーパッケージのみを嵌め込むように固定するものである。半導体レーザー１，１１，１３のいずれをホルダ付きパッケージにするかは、固定強度や調整精度を勘案して決定する。
【００７８】
図６は、偏光フィルタ１０ａ１が取り付けられた半導体レーザー１ｆの外観の一例を示す図である。半導体レーザー１ｆは、半導体レーザー１に偏光フィルタ１０ａ１が取り付けられたものである。図６は、半導体レーザー１をリード１７が形成されている面の反対側から見た斜視図である。
【００７９】
半導体レーザー１ｆには、円柱形状部１８が形成されている。内包部である円柱形状部１８は、円筒形状の金属からなり、円筒形状の底部は台座１９に固定され、円筒形状の頭部に、レーザー光を出射するための開口部が形成されている。円柱形状部１８は、ＬＤを内部に収容する。
【００８０】
偏光フィルタ１０ａ１は、偏光フィルタ１０ａに相当するものであり、円柱形状部１８の頭部に、回転調整されて、開口部を塞ぐように取付けられている。すなわち、円柱形状部１８の頭部は、偏光フィルタ１０ａ１によって封止され、円柱形状部１８の内部は、不活性ガスなどで気密封止される。円柱形状部１８は、従来技術では、ガラス部材によって開口部が封止されるが、図６に示した半導体レーザー１ｆでは、偏光フィルタ１０ａ１に封止用のガラス部材の機能を持たせたものである。ＬＤは、円柱形状部１８に収容されているので、ＬＤの劣化防止を図ることができる。
【００８１】
図５に示した例は、半導体レーザー１がホルダ１６に嵌め込まれて、偏光フィルタ１０ａがホルダ１６に固定されているが、半導体レーザー１および偏光フィルタ１０ａの代わりに、図６に示した偏光フィルタ１０ａ１が取り付けられた半導体レーザー１ｆをホルダ１６に固定してもよい。
【００８２】
以下、図５に示したホルダ１６および図６に示した半導体レーザー１ｆの各偏光フィルタ１０の回転調整の手順について説明する。
【００８３】
図５に示したホルダ１６を用いる場合、作業者は、偏光子を用いて、偏光フィルタ１０ａの偏光方向が、光学設計で決定された偏光方向になるように、偏光フィルタ１０ａを調整した後、調整された偏光フィルタ１０ａをホルダ１６に固定する。偏光子は、調整用の偏光フィルタであり、検光子ともいう。偏光フィルタ１０ａを透過したレーザー光は、偏光フィルタ１０ａの透過軸方向に振動する直線偏光となる。透過軸とは、上述した偏光軸のことである。
【００８４】
作業者は、偏光フィルタ１０ａを透過した直線偏光のレーザー光の光路上に偏光子を配置して、偏光フィルタ１０ａを透過した直線偏光のレーザー光のうち、偏光子を透過したレーザー光の光量を、調整用のフロントモニタ検出器で観測しながら、調整用のフロントモニタ検出器で検出される光量が光学設計通りとなるように、偏光フィルタ１０ａの回転角度を調整する。たとえば、調整用のフロントモニタ検出器で検出される光量が最大となるように、偏光フィルタ１０ａの回転角度を調整する。偏光フィルタ１０ａの回転角度とは、半導体レーザー１を基準にし、半導体レーザー１から出射されるレーザー光の光軸を中心にして回転した回転角度である。
【００８５】
次に、作業者は、偏光フィルタ１０ａが固定されたホルダ１６をハウジングに組み込み、フロントモニタ８の出力を観測しながら、フロントモニタ８の出力が許容範囲内に入るように、ホルダ１６を回転調整する粗調整を行い、粗調整後のホルダ１６をハウジングに固定する。粗調整は、ＢＳ板６による偏光方向に対して、半導体レーザー１から出射され、偏光フィルタ１０ａで偏光された偏光方向を調整して、フロントモニタ８で受光する光量が許容範囲内に入るようにするために行う調整である。
【００８６】
フロントモニタ８で受光する光量が許容範囲内に入るようにするためには、半導体レーザー１から出射され、偏光フィルタ１０ａで偏光された偏光方向を、ＢＳ板６による偏光方向を基準にして調整する必要がある。ＢＳ板６による偏光方向を基準にする必要があるのは、一般に、ＢＳ板６は、プリズムであり、プリズムによって反射する角度が規定されているので、偏光方向を調整するために、ＢＳ板６を回転調整することができないためである。
【００８７】
さらに、作業者は、フロントモニタ８の出力を観測しながら、フロントモニタ８の出力が所定の値になるように、偏光フィルタ１０ｂを回転調整する微調整を行い、微調整後の偏光フィルタ１０ｂをハウジングに固定する。
【００８８】
図６に示した半導体レーザー１ｆを用いる場合、作業者は、偏光子を用いて、偏光フィルタ１０ａ１の偏光方向が、光学設計で決定された偏光方向になるように、偏光フィルタ１０ａ１を調整した後、調整された偏光フィルタ１０ａ１を円柱形状部１８の頭部に固定する。次に、偏光フィルタ１０ａ１が固定された半導体レーザー１ｆをハウジングに組み込み、フロントモニタ８の出力を観測しながら、フロントモニタ８の出力が許容範囲内に入るように、半導体レーザー１ｆを回転調整する粗調整を行い、粗調整後の半導体レーザー１ｆをハウジングに固定する。さらに、フロントモニタ８の出力を観測しながら、フロントモニタ８の出力が所定の値になるように、偏光フィルタ１０ｂを回転調整する微調整を行い、微調整後の偏光フィルタ１０ｂをハウジングに固定する。
【００８９】
以上の手順を要約すると、図５に示したホルダ１６を用いる場合は、偏光子を用いて半導体レーザー１に対する回転角度を調整した偏光フィルタ１０ａを取り付けたホルダ１６全体を、または、図６に示した半導体レーザー１ｆを用いる場合は、偏光子を用いて半導体レーザー１ｆに対する回転角度を調整した偏光フィルタ１０ａ１を取り付けた半導体レーザー１ｆ全体を、先にハウジングに固定しておいたＢＳ板６の偏光方向を基準にして、フロントモニタ８の出力を観測しながら、フロントモニタ８の出力が許容範囲に入るように回転調整する。その後、フロントモニタ８の出力を観測しながら、フロントモニタ８の出力が所定の値になるように、偏光フィルタ１０ｂを回転調整する。
【００９０】
上述したいずれの実施形態でも、偏光フィルタ１０ｂは、ＢＳ板６とフロントモニタ８との間に設けられたが、フロントモニタ８の受光面に対向して、フロントモニタ８に固定してもよい。フロントモニタ８に固定することによって、偏光フィルタ１０ｂを支持するための支持機構を不要とすることができる。
【００９１】
また、上述した光ピックアップ装置１００〜１０３は、電子機器、たとえば光ディスク２への記録再生を行う記録再生装置などの電子機器に用いることができる。光ピックアップ装置１００〜１０３のうちのいずれか１つを用いる電子機器は、フロントモニタ検出器の出力値のばらつきを抑制することができるので、光ディスク２への記録再生の信頼度を向上することができる。
【００９２】
このように、発光素子、たとえば半導体レーザー１は、レーザー光を出射する。ＢＳ板６は、発光素子、たとえば半導体レーザー１から出射されたレーザー光の一部を分離する。集光部、たとえば対物レンズ３、立上げミラー４およびコリメートレンズ５は、ＢＳ板６で分離された一部のレーザー光を除く残余のレーザー光を光学記録媒体、たとえば光ディスク２の情報記録面上に集光する。フロントモニタ８は、ＢＳ板６で分離された一部のレーザー光を受光し、受光したレーザー光の光量を検出する。第１の偏光フィルタ、たとえば偏光フィルタ１０ａは、発光素子、たとえば半導体レーザー１からフロントモニタ８へのレーザー光の光路上に設けられ、透過するレーザー光を予め定める偏光方向に偏光させる。そして偏光フィルタ１０ｂは、発光素子、たとえば半導体レーザー１からフロントモニタ８へのレーザー光の光路上で、かつ第１の偏光フィルタ、たとえば偏光フィルタ１０ａとフロントモニタ８との間に設けられ、透過するレーザー光を偏光させ、透過するレーザー光の偏光方向が、フロントモニタ８で検出される光量が予め定める光量になるように、透過するレーザー光の光軸を中心として回転調整されている。したがって、２つの偏光フィルタ、たとえば偏光フィルタ１０ａ，１０ｂのそれぞれの偏光方向を回転調整することによって、フロントモニタ８に入射するレーザー光の光量を高精度に調整し、ボリューム抵抗を用いることなく、フロントモニタ８の出力値のばらつきを抑制することができる。また、第１の偏光フィルタ、たとえば偏光フィルタ１０ａが設置されているので、戻り光や温度変化の影響などの変化によって発光素子、たとえば半導体レーザー１の偏光比が安定しない場合でも、偏光方向を一定にすることができ、安定した高精度なモニタ性能が得られる。
【００９３】
さらに、発光素子は、複数の発光素子、たとえば半導体レーザー１，１１，１３から構成される。そして、第１の偏光フィルタ、たとえば偏光フィルタ１０ａ，１０ｃ，１０ｄは、発光素子ごと、たとえば半導体レーザー１，１１，１３ごとに１つずつ設けられる。すなわち、フロントモニタ８の直前に偏光フィルタ１０ｂを設け、各発光素子、たとえば半導体レーザー１，１１，１３と偏光フィルタ１０ｂとの間のそれぞれの光路上に第１の偏光フィルタ、たとえば偏光フィルタ１０ａ，１０ｃ，１０ｄをそれぞれ設ける。したがって、複数の発光素子、たとえば半導体レーザー１，１１，１３に含まれるレーザーダイオード、たとえば、ＣＤ用のレーザーダイオード、ＤＶＤ用のレーザーダイオード、およびＢＤ用のレーザーダイオードなどの２つ以上のレーザーダイオードが搭載され、かつフロントモニタ８が１つである場合においても、レーザーダイオードごとに調整が可能となる。
【００９４】
さらに、発光素子は、複数の発光素子、たとえば半導体レーザー１，１１から構成される。そして、第１の偏光フィルタ、たとえば偏光フィルタ１０ｅは、複数の発光素子、たとえば半導体レーザー１，１１に対して１つ設けられる。すなわち、フロントモニタ８の直前に偏光フィルタ１０ｂを設け、各発光素子、たとえば半導体レーザー１，１１と偏光フィルタ１０ｂとの間の共通の光路上に第１の偏光フィルタ、たとえば偏光フィルタ１０ｅを１つ設ける。したがって、複数の発光素子、たとえば半導体レーザー１，１１に含まれるレーザーダイオード、たとえば、ＣＤ用のレーザーダイオード、ＤＶＤ用のレーザーダイオード、およびＢＤ用のレーザーダイオードなどの２つ以上のレーザーダイオードが搭載され、かつフロントモニタ８が１つである場合においても、調整が可能となる。
【００９５】
さらに、第１の偏光フィルタ、たとえば偏光フィルタ１０ａは、発光素子、たとえば半導体レーザー１を保持するホルダ１６に固定される。したがって、第１の偏光フィルタ、たとえば偏光フィルタ１０ａによって受光素子、たとえば半導体レーザー１のレーザーダイオードをホルダ１６内に密封することができ、オープンパッケージのレーザーダイオードを採用した際に、レーザーダイオードの発光面の汚れを防止することができる。また、第１の偏光フィルタ、たとえば偏光フィルタ１０ａを支持するための支持機構を不要とすることができる。
【００９６】
さらに、第１の偏光フィルタ、たとえば偏光フィルタ１０ａは、発光素子、たとえば半導体レーザー１に含まれるレーザーダイオードを内包する円柱形状部１８に固定される。したがって、気密が必要なレーザーダイオードのキャップ機能と複合可能となり、部品点数を削減することができる。また、第１の偏光フィルタ、たとえば偏光フィルタ１０ａを支持する支持機構を不要とすることができる。
【００９７】
さらに、偏光フィルタ１０ｂは、フロントモニタ８の受光面に対向して、フロントモニタ８に固定される。したがって、偏光フィルタ１０ｂを支持する支持機構を不要とすることができる。
【００９８】
さらに、電子機器は、光ピックアップ装置１００〜１０３のうちのいずれか１つを備える。したがって、フロントモニタ８の出力値のばらつきを抑制することができ、光学記録媒体、たとえば光ディスク２への記録再生の信頼度を向上することができる。
【符号の説明】
【００９９】
１，１１，１３  半導体レーザー
２  光ディスク
３  対物レンズ
４  立上げミラー
５  コリメートレンズ
６  ＢＳ板
７  ＰＤ
８  フロントモニタ
９  回折格子
１０，１０ａ〜１０ｆ  偏光フィルタ
１２，１４  ダイクロプリズム
１６  ホルダ
１７  リード
１８  円柱形状部
１９  台座
２０  ＡＰＣ回路
【図１】
2012128911.tif 000003
【図２】
2012128911.tif 000004
【図３】
2012128911.tif 000005
【図４】
2012128911.tif 000006
【図５】
2012128911.tif 000007
【図６】
2012128911.tif 000008